(57)【特許請求の範囲】
【請求項１】
鴨居、右縦枠、左縦枠、敷居から構成される矩形な木製支持枠と、横框及び縦框によって枠体を形成しガラス板を装着して構成される外障子及び内障子が引違いに配置され上記木製支持枠内を左右方向に往復自在である移動枠とから成る引違い方式の木製サッシュであり、屋外側に配置される上記外障子と屋内側に配置される上記内障子との召合い部分においては、相互に対向する縦框の召合い側面内に長手方向の凹溝が形成され、当該凹溝に断面凹形状のアルミカバーが貼着され、更に当該アルミカバーには断面がカマボコ状で膨出先端が対向する縦框の召合い側面に当接するようにゴム製パッキン又は合成樹脂製パッキンが装着されており、次に、上記鴨居の下面と接する外障子及び内障子の上方横框の部分においては、当該鴨居の下面内側に長手方向に２本の凸溝が形成され、更に当該凸溝の先端面にはアルミ板が貼着される一方、上記外障子及び内障子の上方横框の上面側には凹状の鴨居枠溝が形成されると共に当該鴨居枠溝にはアルミカバーが貼着され、またその底面にはシリコンスポンジシートが貼着されて上記凸溝に装着されており、更に、外障子及び内障子の下方横框の下面側に装着されたゴムパッキンの突出先端が、上記敷居を被覆すると共に上面側に上記外障子及び内障子を往復自在に軌道させる２本のレールを形成する水切りアルミの上面に接触し、更には、上記支持枠内における外障子と内障子が閉鎖状態における右縦枠と右方縦框及び左縦枠と左方縦框の部分においては、各縦枠形成された凹溝に先端部に浅い凹溝が形成されアルミ板及びシリコンスポンジシートが貼着された各縦框先端が装入されていることを特徴とする、木製サッシュ。
【発明の詳細な説明】
【技術分野】
【０００１】
本発明は、気密性を有した木製サッシュに係り、特に引違い方式の木製サッシュに関するものである。
【背景技術】
【０００２】
戦後、昭和３０年代からビル用窓としてスチールサッシュが使用されはじめた。ところが、スチールサッシュは重く錆び易いといった欠点から、その後メンテナンスや取扱いが容易なアルミサッシュがスチールサッシュに代って普及してきた。ところが、アルミサッシュは断熱性において金属材として熱伝導率が高いことから、北海道や東北地方などの寒冷地においては結露を生成することや断熱性が低いなどの問題から、新たにＰＶＣサッシュ（プラスチックサッシュ）が採用されるようになった。また、このＰＶＣサッシュは、アルミサッシュの最大の欠点であった断熱性の改善に効果が見られるものであったが、近年の住宅に求められる高断熱、高気密といった高機能な窓に対する要求に対しては材質的な問題から十分にこたえられるものではなかった。このようなことから、近年注目されているのが、木製サッシュである。そこで、木製サッシュの窓についての長所及び短所を述べると、木製サッシュの窓の長所は、先ず、断熱性に優れていることがあげられる。熱伝導率は熱の伝わり易さを表す数値であるが、木はアルミニウムと比べ１５００倍も熱を伝えにくいことが知られている。第二に、木製サッシュの窓に示される特徴は、結露しにくいことがあげられる。木の表面には無数の小孔が存在しており、表面に生成された水滴は上記小孔に進入してことから、結露しにくいことが知られている。一方、上記アルミサッシュやＰＶＣサッシュの均一的素材には上記小孔がないので結露しやすいことになる。更に、第三の長所としては、加工が簡単であることがあげられる。素材が木であることから、ガラスの厚さや窓の大きさ、デザイン面での変更から断面形状の変更まで簡単に対応ができる。これに対して、上記アルミサッシュやＰＶＣサッシュでは、その都度新規の金型が必要となり変更に多大な費用を要すという欠点がある。
【０００３】
一方、上記木製窓の短所について述べると、先ず、第一の短所は、素材が木材であることから腐れや経時的変化による劣化が生ずるという欠点である。水分が木材の組織内部に浸透して腐れを引き起こすことが原因であり、防止策としては、撥水剤を含んだ着色剤によって３〜４年に一度、木の表面保護のために再塗装を行うことが知られている。次に、第二の短所は、ねじれや狂いが生じることがあげられる。これらの防止策としては、木材を十分に乾燥させ、含水率を１０％〜１２％程度にすることにより、ねじれや狂いをほぼ防止できることも知られている。続いて、第三の短所としては可燃であることがあげられるが、この改善策としては、断面寸法を大きくしたり、難燃処理を施し防火性能を向上させる等の方法が知られている。
【０００４】
以上のように、近年脚光を浴びる木製サッシュの長所と短所並びに短所の防止策等について記述したが、近年の住宅等に対する住環境への快適性追求の流れ応じ、高気密、高断熱が求められている状況ではあるが、未だ木製サッシュとして、これらの要望に対して満足するものを見受けることはできない。
【０００５】
次に、ここでサッシュの気密性について触れると、サッシュの気密性とは、サッシュの隙間から漏れる空気の量を示し、サッシュ１ｍ２における１時間当たりの通気量（ｍ３／ｍ２・ｈ）をＪＩＳで定義する等級グレイドで表すことができる。詳しくは、ＪＩＳ  Ａ  ４７０６・ＪＩＳ  Ａ  ４７０２に規定されており、等級についてはＡ−１等級（１２０等級線）、Ａ−２等級（３０等級線）、Ａ−３等級（８等級線）、Ａ−４等級（２等級線）の区分が示されており、等級を表す数字は戸内外の圧力差が１０Ｐａの際の通気量であり、例えば、Ａ−３等級のサッシュ・ドアセットとは、内外の圧力差が１０Ｐａの時、１時間当たりサッシュ・ドア１ｍ２に付き２ｍ３＜通気量≦８ｍ３の空気が漏れることになる。また、上記気密性の良し悪しは、冷暖房における熱負荷の問題は住宅の省エネルギーに、また、外・内部騒音における遮音の問題は住宅の静けさに、更に、外部からの塵埃、粉雪の吹き込みの問題は住宅の快適環境に関連することからも、気密性木製サッシュの開発は急務の課題であると考えられる。
【０００６】
一方、上記のような木製サッシュに対する課題を解決する取組の中で、引違い木製サッシュにおける内外引違障子の召合框間の隙間から外気が侵入しやすく気密性に欠き、冬季においては寒い隙間風が入る不都合を解消しようと案出されたものに、実公平７−５２９４０号「木製引違障子の召合装置」がある。ここで、当該考案は、前述の課題を解決する手段として、内外引違障子の両召合框の召合側に、幅中央よりやや外側寄りに段差を設けることにより、上下框の側面と面一に連続する幅広い主側面と、他方の召合框の主側面に近接する段突部とを形成し、両段突部にその間の間隔を封じる強靭な帯板状部材をそれぞれ先端突出面に沿って取付け、帯板状部材の取付けにつき、段突部の突出面に帯板状部材を組み込む低い切欠段面を設け、その突出面と面一にして切欠段面に固着したことを特徴とするものであった。
【０００７】
更に、従来の引違い木製サッシュや片引き木製サッシュにおける、敷居枠と木製サッシュ戸との間を介して雨水が屋内へ侵入し易いという課題を解決する手段として、特開平１１−１２５０７９号「引違木製サッシュおよび片引き木製サッシュ」では、敷居枠と木製サッシュ戸との間に介在するパッキングの締付け作用を強くして水密性能を高めようとする従来方法ついて、当該方法はパッキングと木製サッシュ戸との間の接触部分の密着度が高まり、パッキングと木製サッシュ戸との摩擦によって木製サッシュ戸の開閉を円滑に行うことができなくなるという欠点を見出した上で、敷居枠と複数の木製サッシュ戸との間へ屋外から入り込んだ雨水を屋内へ侵入させることなく前記敷居枠の内部を介して屋外へ導き出すための雨水導入手段を備えていることを特徴とする引違い木製サッシュおよび片引き木製サッシュが提案されている。
【先行技術文献】
【特許文献】
【０００８】
【特許文献１】実公平７−５２９４０号
【特許文献２】特開平１１−１２５０７９号
【発明の開示】
【発明が解決しようとする課題】
【０００９】
近年注目されるようになって来た木製サッシュは、素材を木材とすることから紫外線の反射が少なく目に与える刺激が少ないと共に、逆に赤外線の反射が大きいことから温かみを感じさせる優位性があり、更に、木目や色調が個々の素材によって異なっているという特徴を有している。しかしながら、上記背景技術の欄に記載のように、木製サッシュは素材が木材であることから腐れや経時的変化による劣化が生ずるという欠点があった。更に、木製サッシュの中でも特に引違い方式の木製サッシュにおいては、高気密、高断熱が求められている状況ではあるが、これらの要望に対して満足できるものを見受けることはできないという課題がある。
【００１０】
また、上記先行文献として示した実公平７−５２９４０号に係る考案においては、前述のように、上下框の側面と面一に連続する幅広い主側面と、他方の召合框の主側面に近接する段突部とを形成し、両段突部にその間の間隔を封じる強靭な帯板状部材をそれぞれ先端突出面に沿って取付け、帯板状部材の取付けにつき、段突部の突出面に帯板状部材を組み込む低い切欠段面を設け、その突出面と面一にして切欠段面に固着したものであるが、木製サッシュとして装置の後、召合框に多少のねじれや狂いが生じた場合でも、内外引違障子の召合框間の段突部と段突部に取付けられた帯板状部材（実施例においては、アルミニウム合金製の帯板）の嵌め合わせがとれず、当初の気密性を維持できないという欠点があった。
【００１１】
続いて、上記先行文献として示した特開平１１−１２５０７９号に係る発明においては、前述のように、敷居枠と複数の木製サッシュ戸との間へ屋外から入り込んだ雨水を屋内へ侵入させることなく、上記敷居枠の内部を介して屋外へ導き出すための雨水導出手段を備えていることを特徴とするものであり、その具体的な雨水導出手段は、上記敷居枠の上部において所定方向に沿って形成された複数の案内溝と、該複数の案内溝の各々の底面と上記敷居枠の屋外側の面との間で連通するように上記所定方向に沿って間隔を隔てて形成された複数の連通孔を有した構成となっている。しかしながら、東北地方などの冬期間に風雪の多い地域においては、上記連通孔として設けられている水抜き横溝を風雪により雪や氷が封鎖してしまう一方で、ガードレール側の隙間に堆積した雪や氷が日中溶け出し、上記ガードレールに設けられている水抜き縦溝側から雨水導入空間に流入して貯まり、再度、夜間に氷結膨張して敷居枠を破損してしまうという欠点が見受けられる。
【００１２】
そこで、本発明の目的は、上記背景技術の欄に記載の従来技術の欠点などに鑑み成されたものであると共に、本発明に係る発明者の長年に亘る実験と研究の成果に基づき成されたものであり、簡単な構成により高い気密性が継続保持される木製サッシュを提供することにある。
【課題を解決するための手段】
【００１３】
本発明は、上記目的を達成するため成されたものであり、本発明に係る木製サッシュは、鴨居、右縦枠、左縦枠、敷居から構成される矩形な木製支持枠と、横框及び縦框によって枠体を形成しガラス板を装着して構成される外障子及び内障子が引違いに配置され上記木製支持枠内を左右方向に往復自在である移動枠とから成る引違い方式の木製サッシュであり、屋外側に配置される上記外障子と屋内側に配置される上記内障子との召合い部分においては、相互に対向する縦框の召合い側面内に長手方向の凹溝が形成され、当該凹溝に断面凹形状のアルミカバーが貼着され、更に当該アルミカバーには断面がカマボコ状で膨出先端が対向する縦框の召合い側面に当接するようにゴム製パッキン又は合成樹脂製パッキンが装着されており、次に、上記鴨居の下面と接する外障子及び内障子の上方横框の部分においては、当該鴨居の下面内側に長手方向に２本の凸溝が形成され、更に当該凸溝の先端面にはアルミ板が貼着される一方、上記外障子及び内障子の上方横框の上面側には凹状の鴨居枠溝が形成されると共に当該鴨居枠溝にはアルミカバーが貼着され、またその底面にはシリコンスポンジシートが貼着されて上記凸溝に装着されており、更に、外障子及び内障子の下方横框の下面側に装着されたゴムパッキンの突出先端が、上記敷居を被覆すると共に上面側に上記外障子及び内障子を往復自在に軌道させる２本のレールを形成する水切りアルミの上面に接触し、更には、上記支持枠内における外障子と内障子が閉鎖状態における右縦枠と右方縦框及び左縦枠と左方縦框の部分においては、各縦枠形成された凹溝に先端部に浅い凹溝が形成されアルミ板及びシリコンスポンジシートが貼着された各縦框先端が装入されていることを要旨とするものである。
【発明の効果】
【００１４】
本発明に係る木製サッシュによれば、屋内側の右側縦框と屋外側の左側縦框の対向する召合い面側の異なる位置に膨出形状のゴムパッキンを装着しているので、当該召合い部分における高い気密性が得られるという効果がある。また、上記ゴムパッキンが経年劣化等の理由により気密性が低下した場合には、当該ゴムパッキンをアルミカバーから取り外し、新しいゴムパッキンを装着することにより、当初の気密性が回復できるので補修が容易であるという効果もある。
【００１５】
更に、本発明に係る木製サッシュによれば、鴨居の下面内側に長手方向に２本の凸溝が形成され、更に当該凸溝の先端面にはアルミ板及びシリコンスポンジシートを貼着する一方で、外障子及び内障子の上框の上面側に凹状の鴨居枠溝を形成し上記凸溝に当該凹溝が装着される構成となっており、上記鴨居と上框の当接箇所にシリコンスポンジシートが介装されているので、当該部分において高い気密性が確保できるという効果もある。また、外障子及び内障子の下框の下面側に装着されたゴムパッキンの突出先端が水切りアルミに接触していることから、屋外側からの雨水等の侵入を防止し高い気密性を確保できるという効果もある。
【００１６】
続いて、本発明に係る木製サッシュによれば、支持枠内における外障子と内障子の閉鎖状態においては、左縦枠に形成された凹溝に先端部に浅い凹溝が形成されアルミ板及びシリコンスポンジシートが貼着された左側縦框の先端が装入された状態となるため、屋外側からの雨水等の侵入を難しくしていると共に、左縦枠と左側縦框の当接箇所にシリコンスポンジシートが介装することにより、当該部分で高い気密性が確保できるという効果もある。同様に、右縦枠に形成された凹溝に先端部に浅い凹溝が形成されアルミ板及びシリコンスポンジシートが貼着された右側縦框の先端が装入された状態となるため、屋外側からの雨水等の侵入を難しくしていると共に、右縦枠と右側縦框の当接箇所にシリコンスポンジシートが介装することで、当該部分の高い気密性が確保できるという効果もある。
【００１７】
最後に、本発明に係る木製サッシュにおいては、右側縦框及び左側縦框の浅い凹溝にアルミ板を貼着しているので、当該縦框に狂い止めを施す効果もある。
【発明を実施するための最良の形態】
【００１８】
以下、本発明を好適な実施の形態について添付図面を参照しながら詳細に説明する。
【００１９】
先ず、図１は本発明に係る木製サッシュを屋外側から見た正面図である。図示のように、本発明に係る木製サッシュ１は、鴨居２、右縦枠３、左縦枠４、敷居５から構成される矩形な支持枠と、当該支持枠内を左右方向に往復自在な移動枠として、外障子２６、内障子２７が引違いに配設されている。更に、外障子２６及び内障子２７は、それぞれ左側縦框９、右側縦框１１、上框６、中框７、下框８により枠体が形成されると共に左右の縦框間と上中框間、中下框間にガラス板２１が装着されている。一方、図中の符号２４は引き手２４、符号２５は締錠２５である。以下、別図に基づき、本発明に係る木製サッシュの構成について説明を進めるものとする。
【００２０】
次に、図２は支持枠を構成する鴨居の断面図であり、図３は同じく支持枠を構成する敷居の断面図である。図２に示された鴨居５は下面側に所定間隔をおいて２本の溝が形成されている一般的に知られる鴨居とは異なり、鴨居５において下面側の移動枠が往復する長手方向に所定の間隔を置いて３本の溝が形成されている。これにより、鴨居５の下面内側には長手方向に２本の凸溝が形成され、更に当該凸溝の先端面にはアルミ板１２が貼着されている。また、図３は支持枠を構成する敷居の断面図であるが、図示のように敷居２は上面側において屋外側から屋内側にかけて高くなる２段の段部が形成されており、１段目の段部は屋内外幅の中間で形成されており、２段目の段部は上記鴨居５の下面側において屋内側縁部に形成される凸溝の立ち上がりに照応する位置に形成されている。
【００２１】
続いて、図４及び図５は、それぞれ左縦枠の断面図及び右縦枠の断面図である。図４に示した左縦枠４の断面図においては、図の上側が屋内側及び下側が屋外側であり、図示のように左縦枠４の屋内外幅の中間位置よりも屋内側に左側縦框９の先端部が装入される凹溝が長手方向に形成されている。一方、図５に示した右縦枠３の断面図においても、図の上側が屋内側及び下側が屋外側であるが、図示のように右側縦框１１の先端部が装入される凹溝が長手方向に形成されている。また、各図中の符号１２、１３については、後述するものとするが、それぞれアルミ板１２、シリコンスポンジシート１３である。
【００２２】
続いてまた、本発明に係る木製サッシュの移動枠の構成を成す、框部材の構成について説明する。図６は上框の断面図、図７は中框の断面図、図８は下框の断面図である。図６に図示のように上框６の断面図は断面略Ｈ状であり、図中上側の凹溝は鴨居枠溝１４であり、更に当該鴨居枠溝１４はアルミカバー２３が貼着され、またその底面にはシリコンスポンジシート１３が貼着されている。一方、下側の凹溝１０はガラス溝１０である。次に、図７に示す中框の断面図も細長い断面略Ｈ状であって、上側及び下側の凹溝１０はガラス溝である。また、図８に示した下框の断面も細長い断面略Ｈ状であり、上側の凹溝はガラス溝１０であり、下側の凹溝には後述するものとするが、断面Ｌ字形のゴムパッキン１５及び下側の凹溝の木口面にアルミレールカバー１６が嵌着されている。更に、図中において破線で示した符号１７は平戸車１７であり、下框８の下方側には公知の技術に基づき複数の平戸車１７が内装されている。
【００２３】
次にまた、図９及び図１０は、それぞれ右側縦框断面図及び左側縦框断面図である。図示のように、右側縦框１１は断面が扁平な略Ｈ状であり、左側の凹溝はガラス溝１０であると共に右側の浅い凹溝の底面にはアルミ板１２、更にアルミ板１２の表面側にはシリコンスポンジシート１３が貼着されている。また、図示のようにシリコンスポンジシート１３の表面側は右側縦框１１の右端面よりもわずかに膨出しているが、これは、前述の右縦枠３との気密性を確保するための構成である。同じように、左側縦框９も断面が扁平な略Ｈ状であり、右側の凹溝はガラス溝１０であると共に左側の浅い凹溝の底面にもアルミ板１２、更にアルミ板１２の表面側にはシリコンスポンジシート１３が貼着されている。ここでも、当該シリコンスポンジシート１３がわずかに膨出しているのは、左縦枠４との気密性を確保するためのものである。
【００２４】
更に続いて、図１１は本発明に係る木製サッシュの構造を示した縦断面図である。図示のように鴨居５の下面側長手方向に形成された２つの凸溝には、屋外側において外障子２６の上框６に形成された凹溝１４が、屋内側には内障子２７の上框６に形成された凹溝１４がそれぞれ装着されている。一方、図示のように屋外側から屋内側にかけて高くなる２段の段部が形成されている敷居５には水切りアルミ１８が公知の技術によって接着され、高さ位置の異なる２本の凸状レールが形成され、それぞれ屋外側において外障子２６の下框８に形成されたゴムパッキン１５及びアルミレールカバー１６が嵌着された凹溝が、屋内側においては内障子２７の下框８に形成されたゴムパッキン１５及びアルミレールカバー１６が嵌着された凹溝が、各々下框の下方に内装されている平戸車１７が上記凸状レールに当接することにより、わずかな間隔をもって装着している。この際、上記ゴムパッキン１５の突出先端は水切りアルミ１８に接触しており、この構成により屋外からの雨水等の侵入を防止して気密性を確保している。なお、図中の符号１９はサッシュ戸外れ止め１９、符号２０はサッシュ戸外れ止め１９の取り付けのための取付けネジ２０である。
【００２５】
更にまた、図１２は本発明に係る木製サッシュの構造を示した水平方向の断面図である。また、図１３は図１２の一部拡大図である。ここで、図１２に示した木製サッシュの構造においては、右縦枠３及び左縦枠４が省略されているが、右縦枠３と右側縦框１１及び左縦枠４と左側縦框９についての納まりについては、既に図４、図５において説明している。図示のように、屋内側となる内障子２７については、左側縦框９及び右側縦框１１間にガラス板２１が嵌め込まれている。同様に、屋外側となる外障子２６についても、右側縦框１１及び左側縦框９間にガラス板２１が嵌め込まれている。更に、外障子２６と内障子２７との召合い部分については、屋内側である右側縦框１１の召合い側面のやや先端位置に長手方向に凹溝が形成され、当該溝に凹形状のアルミカバー２３が貼着されると共に、アルミカバー２３には断面がカマボコ状で膨出先端が対向する屋外側の左側縦框９の召合い側面に当接するゴムパッキン２２が装着されている。同様に、屋外側である左側縦框９の召し合い側面のやや先端位置にも長手方向に凹溝が形成され、当該溝に凹形状のアルミカバー２３が貼着されると共に、アルミカバー２３にも断面がカマボコ状で膨出先端が対向する屋内側の右側縦框１１の召合い側面に当接するゴムパッキン２２が装着されている。ここで、図示にように各アルミカバー２３に装着されるゴムパッキン２２の先端側を膨出形状としたので、外障子及び内障子の開閉の際にも抵抗感がなくスムーズに摺動することができる。また、以上の構造によって、外障子２６と内障子２７の召合い部分からの雨水等が室内側に侵入することが防止できる。
【産業上の利用可能性】
【００２６】
本発明によれば、移動枠として構成される外障子及び内障子間の召合い部分における気密性の確保はもとより、鴨居、右縦枠、左縦枠、敷居から構成される支持枠と当該支持枠内を左右方向に移動自在な移動枠の閉鎖状態において、上記鴨居、右縦枠、左縦枠、敷居の各支持枠部材間との気密性の確保が可能であり、従来、気密性の確保が難しいとされていた引違い方式の木製サッシュについても高い気密性を得ることができる。また、本発明に係る木製サッシュによれば、実施の形態で例示した引違い方式の木製サッシュのみならず、片引き方式の木製サッシュにも好適に採用され得るものである。
【図面の簡単な説明】
【００２７】
【図１】本発明に係る木製サッシュを屋外側から見た正面図。
【図２】支持枠を構成する鴨居の断面図。
【図３】支持枠を構成する敷居の断面図。
【図４】左縦枠の断面図。
【図５】右縦枠の断面図。
【図６】上框の断面図。
【図７】中框の断面図。
【図８】下框の断面図。
【図９】右側縦框断面図。
【図１０】左側縦框断面図。
【図１１】本発明に係る木製サッシュの構造を示した縦断面図。
【図１２】本発明に係る木製サッシュの構造を示した水平方向の断面図。
【図１３】図１２の一部拡大図。
【符号の説明】
【００２８】
１    本発明に係る木製サッシュ
２    鴨居
３    右縦枠
４    左縦枠
５    敷居
６    上框
７    中框
８    下框
９    左側縦框
１０  ガラス溝
１１  右側縦框
１２  アルミ板
１３  シリコンスポンジシート
１４  鳥居枠溝
１５  ゴムパッキン
１６  アルミレールカバー
１７  平戸車
１８  水切りアルミ
１９  サッシ戸外れ止め
２０  取付けネジ
２１  ガラス板
２２  ゴムパッキン
２３  アルミカバー
２４  引き手
２５  締錠
２６  外障子
２７  内障子
【図１】
0005473999.tif 000002
【図２】
0005473999.tif 000003
【図３】
0005473999.tif 000004
【図４】
0005473999.tif 000005
【図５】
0005473999.tif 000006
【図６】
0005473999.tif 000007
【図７】
0005473999.tif 000008
【図８】
0005473999.tif 000009
【図９】
0005473999.tif 000010
【図１０】
0005473999.tif 000011
【図１１】
0005473999.tif 000012
【図１２】
0005473999.tif 000013
【図１３】
0005473999.tif 000014